(57)【要約】【課題】外部からの圧力に対する表示パネルの強度を向上する。【解決手段】表示パネル３０と、表示パネル３０が配設されると共に表示パネル３０の表示部を外方に臨ませるパネル用開口部３３が形成された筐体１２と、表示パネル３０を筐体１２に支持する支持板３８とを備え、筐体１２と支持板３８とは、いずれか一方に突設されたボス３５ｃに他方に設けられた固定部材４０が固着することにより、表示パネル３０を挟持する。【選択図】図４
2006162710.tif 000002
【特許請求の範囲】
【請求項１】
表示パネルと、
上記表示パネルが配設されると共に該表示パネルの表示部を外方に臨ませるパネル用開口部が形成された筐体と、
上記表示パネルを上記筐体に支持する支持板とを備え、
上記筐体と上記支持板とは、いずれか一方に突設されたボスに他方に設けられた固定部材が固着することにより、上記表示パネルを挟持することを特徴とする表示装置。
【請求項２】
上記支持板は周縁部に係止片が形成され、該係止片が上記筐体に係止されていることを特徴とする請求項１記載の表示装置。
【請求項３】
上記筐体は、上記パネル用開口部と並んで、装置本体の操作を行う操作部材を外方に臨ませる操作部材用開口部が形成され、
上記筐体及び支持板は、上記パネル用開口部と操作部材用開口部との間に設けられた上記ボスと固定部材によって固着されることにより、上記表示パネル及び操作部材を挟持することを特徴とする請求項１又は２記載の表示装置。
【請求項４】
上記固定部材はネジであり、上記ボスには上記ネジが螺合されるネジ穴が形成されていることを特徴とする請求項１乃至３いずれか１項に記載の表示装置。
【請求項５】
上記支持板は鉄板からなることを特徴とする請求項１乃至４いずれか１項に記載の表示装置。
【請求項６】
上記表示パネルは、上記パネル用開口部に弾性部材を介して支持されていることを特徴とする請求項１乃至５いずれか１項に記載の表示装置。
【請求項７】
上記支持板は、上記表示パネルを上記パネル用開口部側に付勢する付勢部が形成されていることを特徴とする請求項６記載の表示装置。
【請求項８】
上記支持板は周縁部に上記筐体に係止される係止片が形成され、
上記筐体は、上記パネル用開口部と並んで、装置本体の操作を行う操作部材を外方に臨ませる操作部材用開口部が形成され、
上記筐体及び支持板は、上記パネル用開口部と操作部材用開口部との間に設けられた上記ボスと固定部材によって固着されることにより、上記表示パネル及び操作部材を挟持することにより、上記操作部材を上記ボス及び固定部材並びに係止片の少なくとも３点によって囲まれて支持することを特徴とする請求項１記載の表示装置。
【発明の詳細な説明】
【技術分野】
【０００１】
本発明は、カメラモジュールが内蔵された携帯用の小型電子機器に関し、特にディスク状記録媒体に対してオーディオデータや画像データの記録、再生を行う記録及び／又は再生装置に関する。
【背景技術】
【０００２】
従来より、撮像レンズと、ＣＣＤやＣＭＯＳ等の撮像素子と、液晶表示パネル等を用いた画像表示部を備えた撮像装置や、カメラモジュールが付加された撮像機能付きの電子機器が広く普及している。この種の撮像装置や電子機器は、機器本体の前面側に設けられた撮像レンズより撮像画像を取り込み、撮像素子により生成された画像データが機器本体の背面側に設けられた液晶表示パネルに表示される。操作者は、液晶表示パネルに表示された画像を見ながらシャッタボタンを押すことにより、画像を確認しながら画像を記録することができる。
【０００３】
このようなカメラ機能が付加された電子機器は、カメラ機能が付加され多機能化が図られている一方、装置本体より外方に臨まされている液晶パネルの保護強化を図る必要がある。すなわち、液晶表示パネルは２枚のガラス基板の間に液晶材料を封入して形成されていることから、外部からの圧力を受けることによってガラスが割れるなどの損傷を受けるおそれがある。特に、携帯型の電子機器では、使用中に誤って機器本体を落下させてしまったり、ズボンのポケットに入れたまま座ってしまうことによる外力に対しても液晶表示パネルを保護する必要がある。
【０００４】
【特許文献１】特開平５−１６５０１３号公報
【発明の開示】
【発明が解決しようとする課題】
【０００５】
そこで、本発明は表示パネルを備えた表示装置において、外部からの圧力に対する表示パネルの強度の向上が図られた表示装置を提供すること目的とする。
【課題を解決するための手段】
【０００６】
上述した課題を解決するために、本発明にかかる表示装置は、表示パネルと、上記表示パネルが配設されると共に該表示パネルの表示部を外方に臨ませるパネル用開口部が形成された筐体と、上記表示パネルを上記筐体に支持する支持板とを備え、上記筐体と上記支持板とは、いずれか一方に突設されたボスに他方に設けられた固定部材が固着することにより、上記表示パネルを挟持することを特徴とするものである。
【発明の効果】
【０００７】
このような表示装置によれば、ボスに固定部材が固着されることにより一体化された筐体と支持板とで表示パネルが挟持される。したがって、装置本体に外力が加わった場合にも、筐体と支持板とが一体に外力を受け止めるため、間に挟持されている表示パネルを外力から保護することができる。
【発明を実施するための最良の形態】
【０００８】
以下、本発明にかかる表示装置が適用された記録及び／又は再生装置について、図面を参照しながら詳細に説明する。この記録及び／又は再生装置１０は、図１に示すように、光磁気ディスク２を略矩形のカートリッジ本体３内に回転可能に収納したディスクカートリッジ１を記録媒体に用いる装置であり、このディスクカートリッジ１と略同じ大きさにまで小型化されている。このディスクカートリッジ１は、一対のハーフを突き合わせ結合したカートリッジ本体３に、光磁気ディスク２を回転可能に収納している。記録媒体となる光磁気ディスク２の中心部には、ディスク記録再生装置側のディスク回転駆動機構を構成するディスクテーブルが係合するセンタ孔が設けられると共に、このセンタ孔を閉塞するようにしてディスクテーブルに内蔵されたマグネットに磁気吸引されるクランピングプレート２ａが取り付けられている。
【０００９】
この光磁気ディスク２を回転可能に収納するカートリッジ本体３には、前面側略中央の互いに対向する面に、光磁気ディスク２の信号記録領域の一部を径方向に亘って外部に臨ませる記録再生用の開口部４ａ，４ｂが形成されている。一方の開口部４ａは、光磁気ディスク２の光磁気記録層に対して磁界を印加する磁気ヘッドをカートリッジ本体３内部に進入させるためのものであり、他方の開口部４ｂは、光ピックアップを光磁気ディスク２に臨ませるためのものである。
【００１０】
カートリッジ本体３の前面３ａ側には、記録再生用の開口部４ａ，４ｂを開閉するための断面略コ字状のシャッタ部材５がスライド可能に取り付けられている。このシャッタ部材５は、記録及び／又は再生装置１０に装填されたときに限って、記録再生用の開口部４ａ，４ｂを開放し、非使用時には開口部４ａ，４ｂを閉塞する。カートリッジ本体３の下面中央部には、光磁気ディスク２のクランピングプレート２ａを外部に臨ませる略円形のディスク駆動用の開口部６が設けられている。ディスクカートリッジ１が記録及び／又は再生装置１０に装填されたとき、この開口部６からは、ディスクテーブルが進入し、光磁気ディスク２のセンタ孔には、ディスクテーブルが係合すると共に、クランピングプレート２ａがディスクテーブルに磁気吸引される。
【００１１】
以上のようなディスクカートリッジ１は、カートリッジ本体３の前面と直交する一側面３ｂを挿入端として、記録及び／又は再生装置１０に装填される。すると、シャッタ部材５は、ディスクカートリッジ１の挿入方向と平行な方向に、カートリッジ本体３の前面３ａに沿ってスライドし、記録再生用の開口部４ａ，４ｂを開放し、光磁気ディスク２の記録再生を可能な状態にする。
【００１２】
なお、カートリッジ本体３内に収納する記録媒体としては、光磁気ディスク２の他に、ピットパターンによってデータが予め記録された再生専用の光ディスク、記録層に有機色素材料を用いデータの追記を可能とする追記型の光ディスク、記録層に相変化材料を用いデータの書換を可能とする書換型の光ディスク、磁気ディスク等を用いるようにしてもよい。
【００１３】
以上のようなディスクカートリッジ１を記録媒体に用いる記録及び／又は再生装置１０について図１乃至図３を参照して説明すると、この記録及び／又は再生装置１０は、ディスクカートリッジ１が装着される装置本体１１と、この装置本体１１に対して回動可能に取り付けられる蓋体１２とを備え、蓋体１２が開いた状態にあるとき、ディスクカートリッジ１の挿脱を行うことができるようになっている。
【００１４】
装置本体１１には、その主面部１１ａに、撮像部１３が設けられている。この撮像部１３は、一方の側面部１１ｂ側に偏倚した位置に設けられており、外部に臨まされた撮像レンズ１３ａがカバーシャッタ１４により閉塞されている。このカバーシャッタ１４は、捻りコイルバネにより、撮像部１３を閉塞する方向と開く方向の２方向に付勢されており、使用時に限ってユーザの手により開かれるようになっている。カバーシャッタ１４は、撮像部１３の使用時以外のときには閉塞されるようにすることで、撮像レンズ１３ａ等に塵埃、指紋等の異物が付着しないようにしている。なお、この撮像部１３は、撮像レンズ１３ａの他に、ミラー部１３ｂとフラッシュ用のＬＥＤ（Light Emitting Diode）等で構成された発光部１３ｃが設けられている。
【００１５】
また装置本体１１の主面部１１ａには、カバーシャッタ１４が撮像部１３を閉塞する方向にスライドされたときに、カバーシャッタ１４の上側縁１４ａと突き当てられるカバー部材２６が設けられている。カバー部材２６は、カバーシャッタ１４の上側縁１４ａが突き当てられることにより撮像部１３の閉塞方向へのスライドを規制する規制辺２６ａが形成されている。規制辺２６ａは、カバーシャッタ１４の上側縁１４ａの形状に対応した形状を備え、カバーシャッタ１４が突き当てられることにより、上側縁１４ａと隙間なく当接される。またカバー部材２６とカバーシャッタ１４とは、当接されることにより略面一とされる。
【００１６】
また、装置本体１１には、撮像部１３が設けられた一方の側面部１１ｂと反対側の他方の側面部１１ｃ側であって、蓋体１２のヒンジ部２７が設けられた上面部１１ｄには、シャッタボタン１５と電源ボタン１６が設けられている。この装置本体１１では、シャッタボタン１５と撮像部１３の撮像レンズ１３ａの位置を反対側に設けるようにすることで、撮影時に、シャッタボタン１５を押す側の手が撮像レンズ１３ａに映り込まないようにしている。
【００１７】
また、装置本体１１の撮像部１３が設けられた側の側面部１１ｂには、上面部１１ｄ側に、イヤホン、ヘッドホン等の電気音響変換器の接続コードが接続される第１のジャック部１７が設けられている。また、この側面部１１ｂと反対側の側面部１１ｃには、操作部の一部である音響信号を聞くときの音量ボタン１８やパーソナルコンピュータ等の情報処理装置からオーディオデータ等のコンテンツデータをダウンロードする際のダウンロードボタン１９が設けられている。更に、この側面部１１ｃの下面部１１ｅ側には、電源となる二次電池等が収納されるバッテリ収納部を開閉するバッテリ蓋２０が設けられている。
【００１８】
装置本体１１の下面部１１ｅには、蓋体１２を閉塞状態に維持するためのロック機構が設けられると共に、このロック機構による蓋体１２のロックを解除するための蓋体１２のロック解除スライダ２１が設けられている。また、この装置本体１１の下面部１１ｅの他方の側面部１１ｃ側には、パーソナルコンピュータ等からオーディオデータ等のコンテンツデータをダウンロードするための接続コードが接続される第２のジャック部２２が設けられている。更に、この装置本体１１の下面部１１ｅは、充電時等に装置本体１１を立てかけるスタンドに装着する際の位置決め凹部２３が、略対称な位置に２カ所設けられている。
【００１９】
以上のような装置本体１１に取り付けられる蓋体１２は、装置本体１１の上面部１１ｄにヒンジ部２７が設けられ、このヒンジ部２７を回動支点として回動操作される。この蓋体１２の主面部１２ａには、図３に示すように、撮像部１３が設けられた一方の側面部１１ｂ側に、ＬＣＤ（LiquidCrystal Display）パネル３０等で構成された表示部２４と、装置本体１１を操作する操作部２５が設けられている。
【００２０】
蓋体１２は、図４に示すように、主面部１２ａに、ＬＣＤパネル３０を外方に臨ませるパネル用開口部３３と操作部２５を外方に臨ませる操作部用開口部３４が開口されている。パネル用開口部３３及び操作部用開口部３４は、裏面部１２ｂ側よりＬＣＤパネル３０及び操作部２５を構成する回転スイッチ２５ａ、レバースイッチ２５ｂが取り付けられることによりＬＣＤパネル３０及び操作部２５を蓋体１２の主面部１２ａ側に臨ませる。また、パネル用開口部３３及び操作部用開口部３４上には、蓋体１２の主面部１２ａ側からＬＣＤパネル３０及び操作部２５を支持する外装フレーム３５が取り付けられるとともに、外装フレーム３５に突設されたボス３５ｃを蓋体１２の裏面部１２ｂ側に突出させるボス孔３２が左右に離間して２箇所設けられている。
【００２１】
蓋体１２の主面部１２ａ側に接続される外装フレーム３５は、ＬＣＤパネル３０を保護するとともに操作部２５の回転スイッチ２５ａ及びレバースイッチ２５ｂを主面部１２ａ側から支持するものであり、例えばＡＢＳ樹脂等のモールド成型品からなる。この外装フレーム３５は、図５に示すように、パネル用開口部３３及び操作部用開口部３４に対応した矩形開口３５ａ及び円形開口３５ｂが設けられるとともに、蓋体１２の裏面部１２ｂ側に挿通してＬＣＤパネル３０、回転スイッチ２５ａ及びレバースイッチ２５ｂを蓋体１２側に挟持する支持板３８と接続されるボス３５ｃが形成されている。ボス３５ｃにはネジ溝が形成され、後述する支持板３８を挿通した固定ネジ４０が螺合されることにより支持板３８と固着される。
【００２２】
この外装フレーム３５は、蓋体１２の主面部１２ａに取り付けられた後、さらに接着用のシートを介して化粧板３６が接着された後、矩形開口３５ａを覆うようにＬＣＤパネル３０を保護する透明なアクリル板３７が接着される。また、外装フレーム３５は、蓋体１２に取り付けられることにより、主面部１２ａに設けられたボス孔３２，３２にボス３５ｃ，３５ｃが挿通され、蓋体１２の裏面部１２ｂ側に突出されている。
【００２３】
表示部２４を構成するＬＣＤパネル３０は、略矩形板状に形成され、液晶を挟んで一対のガラス基板及び電極が保護枠に組み込まれるとともに、電極取り出し口にフレキシブル配線基板３１が接着され、このフレキシブル配線基板３１が保護枠の一側縁３０ａより延設されている。ＬＣＤパネル３０は、外周部が蓋体１２のパネル用開口部３３の周辺に裏面部１２ｂ側から弾性シート３９を介して当接され、さらに背面側から支持板３８に支持されることにより蓋体１２と支持板３８との間に挟持される。フレキシブル配線基板３１は、先端が装置本体１１側に設けられた図示しない配線基板に接続されることにより、装置本体１１側に設けられた撮像レンズ１３ａとＬＣＤパネル３０とを電気的に接続し、撮像レンズ１３ａに取り込まれた画像をＬＣＤパネル３０に表示させることができる。また、フレキシブル配線基板３１は、装置本体１１に設けられディスクカートリッジ１が挿入、保持されるカートリッジホルダを迂回するとともに、蓋体１２の開閉動作を妨害することのないよう装置本体１１側に引き回す必要があることから、装置本体１１の上面部１１ｄのヒンジ部２７を介して撮像レンズ１３ａ側に接続されている。
【００２４】
この表示部２４の下側に設けられる操作部２５は、この装置の主機能を実行するためのメインとなる操作部であり、回転スイッチ２５ａの中央部に４方向に傾倒するレバースイッチ２５ｂが設けられている。この操作部２５では、例えば、ディスクカートリッジ１に保存された複数のオーディオデータや画像データの中から所望のオーディオデータや画像データを選択し、また、選択したオーディオデータの再生開始や停止、順方向又は逆方向トラックジャンプ操作等を行うことができる。
【００２５】
これら回転スイッチ２５ａ及びレバースイッチ２５ｂは、他のスイッチ素子が配設されたスイッチ基板２８に実装され、またこのスイッチ基板２８が回転スイッチ２５ａ及びレバースイッチ２５ｂ等のスイッチ素子を支持する支持フレーム２９に接着される。その後、スイッチ基板２８が接着された支持フレーム２９は、弾性シートを介して蓋体１２の操作部用開口部３４の周辺に配設され、スイッチ基板２８の裏面側から支持板３８が当接されることにより蓋体１２に支持される。これにより回転スイッチ２５ａ及びレバースイッチ２５ｂは、蓋体１２の操作部用開口部３４及び外装フレーム３５の円形開口２５ｂより主面部１２ａ側に臨まされる。
【００２６】
ＬＣＤパネル３０及び操作部２５を蓋体１２側に支持する支持板３８は、蓋体１２のパネル用開口部３３及び操作部用開口部３４を覆う略矩形板状の金属板であり、例えば厚さ０．４ｍｍのアルミ板が用いられる。この支持板３８は、蓋体１２及び蓋体１２に取り付けられた外装フレーム３５と接続されることによりＬＣＤパネル３０及び操作部２５を蓋体１２に支持するものである。支持板３８は、長手方向の略中央部に、外装フレーム３５に突設されたボス３５ｃに固着される固定ネジ４０が挿通する挿通孔４１，４１が長手方向と直交する方向に離間して２箇所開口されている。また、支持板３８は、操作部２５を支持する長手方向の一端３８ａ側に、蓋体１２に形成された接続孔にネジ止めされるネジ４２が挿通する挿通片４３が形成されている。さらに、支持板３８は、ＬＣＤパネル３０を支持する長手方向の他端３８ｂ側に、蓋体１２に形成された係合孔に係合される係合片４５，４５が長手方向と直交する方向に離間して２箇所設けられている。
【００２７】
このような支持板３８は、蓋体１２の裏面部１２ｂ側から、パネル用開口部３３の周辺に弾性シート３９を介してＬＣＤパネル３０が当接され、操作部用開口部３４の周辺に回転スイッチ２５ａ及びレバースイッチ２５ｂを支持した支持フレーム２９が当接されると、係合片４５，４５が蓋体１２側の係合孔に係合されると共に挿通片４３にネジ４２が挿通されることにより蓋体１２に係合される。また、支持板３８は、挿通孔４１，４１が、蓋体１２のボス孔３２，３２を挿通して蓋体１２の裏面部１２ｂ側に突出された外装フレーム３５のボス３５ｃ，３５ｃと当接され、固定ネジ４０，４０が挿通孔４１，４１を介してボス３５ｃ，３５ｃに螺着される。
【００２８】
これにより蓋体１２は、図６に示すように、ＬＣＤパネル３０及びスイッチ基板２８が、外装フレーム３５及び蓋体１２と、外装フレーム３５に突設されたボス３５ｃに固定ネジ４０で固着された支持板３８とで挟持される。なお図６は、図３に示す蓋体１２のＡ−Ａ’断面図である。したがって、装置本体１１に外力が加わった場合にも、外装フレーム３５及び蓋体１２と、支持板３８とが一体に外力を受け止めるため、間に挟持されているＬＣＤパネル３０やスイッチ基板２８を外力から保護することができる。
【００２９】
なお、支持板３８は、ＬＣＤパネル３０を支持する他端３８ｂ側の主面部に、ＬＣＤパネル３０を蓋体１２側に付勢する付勢片４６が複数形成されている。付勢片４６は、支持板３８の主面部を略凹字状に切り欠くことにより形成され、先端部に押圧用の突部４６ａが形成されている。付勢片４６は、支持板３８が蓋体１２に係合されると共に外装フレーム３５に固着されることにより、突部４６ａによってＬＣＤパネル３０を蓋体１２側に付勢する。
【００３０】
また、ＬＣＤパネル３０は、蓋体１２のパネル用開口部３３の周辺に弾性シート３９を介して当接されているため、付勢片４６の付勢力によっても損傷を受けることがない。また、ＬＣＤパネル３０は、付勢片４６の付勢力によって弾性シート３９を介して外周部がパネル用開口部３３の周辺に沿って密着するため、各種データが表示されるパネル中央部に塵埃等が侵入することを防止することができる。
【００３１】
また、スイッチ基板２８は、外装フレーム３５の左右に離間して形成されたボス３５ｃ，３５ｃに支持板３８が固着されると共に、支持板３８の操作部２５を支持する長手方向の一端３８ａ側に形成された挿通片４３がネジ４２によって蓋体１２に固着されることによって、これらボス３５ｃ，３５ｃ、ネジ４２によって囲まれた領域に支持されている。したがって、スイッチ基板２８は、回転スイッチ２５ａやレバースイッチ２５ｂ等の各種スイッチ素子が押圧操作された場合にも、これらスイッチ素子に係る負荷を受け止めることができる。
【００３２】
なお、本発明が適用された記録及び／又は再生装置においては、外装フレーム３５にボス３５ｃを立てて支持板３８を挿通した固定ネジ４０によって固着させたが、逆に支持板３８にボス３５ｃを立て、外装フレーム３５に固定ネジ４０の挿通孔を形成し、外装フレーム３５を挿通した固定ネジをボスに固着させることにより外装フレーム３５と支持板３８とを固着させるようにしてもよい。
【図面の簡単な説明】
【００３３】
【図１】本発明が適用された記録及び／又は再生装置の蓋体が回動された状態を示す斜視図である。
【図２】本発明が適用された記録及び／又は再生装置のカバーシャッタがスライドされて撮像部が露出された状態を示す斜視図である。
【図３】本発明が適用された記録及び／又は再生装置を蓋体側から示す斜視図である。
【図４】本発明が適用された記録及び／又は再生装置の蓋体の分解斜視図である。
【図５】外装プレートを示す斜視図である。
【図６】本発明が適用された記録及び／又は再生装置の蓋体の断面図である。
【符号の説明】
【００３４】
１  ディスクカートリッジ、１０  記録及び／又は再生装置、１１  装置本体、１２  蓋体、１３  撮像部、１４  カバーシャッタ、２４  表示部、２５  操作部、２５ａ  回転スイッチ、２５ｂ  レバースイッチ、２７  ヒンジ部、２８  スイッチ基板、２９  支持フレーム、３０  ＬＣＤパネル、３２  ボス孔、３５  外装フレーム、３７  アクリル板、３８  支持板、３９  弾性シート、４０  固定ネジ、４１  挿通孔
【図１】
2006162710.tif 000003
【図２】
2006162710.tif 000004
【図３】
2006162710.tif 000005
【図４】
2006162710.tif 000006
【図５】
2006162710.tif 000007
【図６】
2006162710.tif 000008